(57)【要約】【課題】片手操作ではサムターンの挿入動作ができないようにして、室内に手を挿入されても容易に不正解錠操作ができないようにしたサムターン装置の提供を目的とする。【解決手段】ケース１に開設されたサムターン軸挿入孔２にサムターン軸３を挿入して該ケース１に着脱可能に支持され、扉用錠装置を回転操作するサムターン４と、  サムターン４に係止してサムターン４のケース１からの脱離を規制するとともに、サムターン４脱離後のサムターン軸挿入孔２を所定の付勢力により閉塞するシャッタプレート５と、  シャッタプレート５を付勢力に抗して閉塞位置から退避させる回転ノブ６とを有して構成する。【選択図】  図１
2005314967.tif 000002
【特許請求の範囲】
【請求項１】
ケースに開設されたサムターン軸挿入孔にサムターン軸を挿入して該ケースに着脱可能に支持され、扉用錠装置を回転操作するサムターンと、
サムターンに係止してサムターンのケースからの脱離を規制するとともに、サムターン脱離後のサムターン軸挿入孔を所定の付勢力により閉塞するシャッタプレートと、
シャッタプレートを付勢力に抗して閉塞位置から退避させる回転ノブとを有するサムターン装置。
【請求項２】
前記シャッタプレートには、回転ノブから突設された操作突起を受容して回転ノブの回転を並進運動に変換する長孔が設けられるとともに、
該長孔には、サムターン軸挿入孔の閉塞位置において、シャッタプレートの開放位置側への移動時に操作突起が嵌合するストッパ凹部が設けられる請求項１記載のサムターン装置。
【請求項３】
前記シャッタプレートとサムターン軸との当接部には、相互に係合してサムターンの回転姿勢を補正する係合凹凸が設けられる請求項１または２記載のサムターン装置。
【請求項４】
扉用錠装置のデッドボルト操作部に連結されるジョイント部を突設させて、ケース内に回転自在に支持され、表面側に向けて表示マークを備えたサインプレートと、
ケースに穿孔され、デッドボルト操作部の施解錠いずれかの回転位置における表示マークを室内から視認可能な位置に配置される表示窓とを有し、
前記サムターン軸は、サインプレートに着脱可能に連結される請求項１、２または３記載のサムターン装置。
【発明の詳細な説明】
【技術分野】
【０００１】
本発明は、サムターン装置に関するものである。
【背景技術】
【０００２】
外部からのサムターン装置への不正アクセスを防止するためにサムターンを取り外し可能としたサムターン装置としては、特許文献１に記載されたものが知られている。この従来例において、サムターンはシャッターにより軸部材からの脱離が規制され、当該状態でサムターンに与えた回転操作力を錠装置に解錠操作力として伝達できる。
【０００３】
このシャッター部材は、サムターン近傍においてスライド操作可能な操作部材への操作によりサムターンへの係止解除位置に移動操作可能であり、この状態でサムターンを引き抜くことができる。サムターンを引き抜くとシャッター部材は、ケースのサムターン挿入開口を閉塞する。この後、サムターンを再び装着するには、まず、操作部材を操作してシャッター部材によるサムターン挿入開口の閉塞を解除し、サムターンの軸部を挿入する。
【特許文献１】特開２００３-２１３９７５号公報
【発明の開示】
【発明が解決しようとする課題】
【０００４】
しかし、上述した従来例は、操作部材へのスライド操作によりシャッター部材を操作するために、サムターンを保持したまま片手で操作部材を操作することが可能となる。この結果、サムターンを抜去した状態であっても、ドア等に穴を明けられて手を挿入し、操作部材を操作しながら予め用意したサムターンを装着することが可能であり、防犯対策としては万全ではない。
【０００５】
本発明は、以上の欠点を解消すべくなされたものであって、片手操作ではサムターンの挿入動作ができないようにして、室内に手を挿入されても容易に不正解錠操作ができないようにしたサムターン装置の提供を目的とする。
【課題を解決するための手段】
【０００６】
本発明によれば上記目的は、
ケース１に開設されたサムターン軸挿入孔２にサムターン軸３を挿入して該ケース１に着脱可能に支持され、扉用錠装置を回転操作するサムターン４と、
サムターン４に係止してサムターン４のケース１からの脱離を規制するとともに、サムターン４脱離後のサムターン軸挿入孔２を所定の付勢力により閉塞するシャッタプレート５と、
シャッタプレート５を付勢力に抗して閉塞位置から退避させる回転ノブ６とを有するサムターン装置を提供することにより達成される。
【０００７】
錠装置を室内側から操作する際の手掛け部を提供するサムターン４は、サムターン軸挿入孔２からケース１内に挿入されるサムターン軸３にシャッタプレート５を係止させることによりケース１からの脱離が規制される。シャッタプレート５は、サムターン４が脱離した際には、サムターン軸挿入孔２を所定の付勢手段より付与される付勢力を伴って閉塞する。
【０００８】
上記シャッタプレート５を付勢力に抗して閉塞位置から退避させるために回転ノブ６への回転操作が必要な本発明において、サムターン４の装着には、回転ノブ６に回転力を与えた状態でサムターン４をサムターン軸挿入孔２内に挿入する操作が必要になる。この操作を片手で同時に行うことは困難であるために、室外から手を入れられて予め用意したサムターン４を装着するドアの不正解錠操作を確実に防止することができる。
【発明の効果】
【０００９】
本発明によれば、片手操作ではサムターンの挿入動作ができないために、室内に手を挿入されても容易に不正解錠操作ができないようにすることができる。
【発明を実施するための最良の形態】
【００１０】
図１に本発明の実施の形態を示す。図中１はドアの室内側壁面に固定されるケース、４はケース１に対して回転自在に装着されるサムターンである。
サムターン４は、ケース１のサムターン軸挿入孔２からケース１内に挿入されるサムターン軸３を有しており、サムターン装置をドアに固定した状態で、サムターン軸３は図外の扉用錠装置のデッドボルト操作部に対して後述するサインプレート１３を介して回転方向に連結され、錠装置を操作できる。なお、図においては、サムターン４への回転操作力をサインプレート１３を介して錠装置に伝達する場合を示したが、直接錠装置に伝達したり、あるいはサインプレート１３ではなく、例えば、ジョイント部材等を介して伝達することができる。
【００１１】
上記サムターン軸３を係止してケース１からの脱離を規制するために、ケース１内にはシャッタプレート５が並進移動自在に配置される。シャッタプレート５は、圧縮スプリング５ａによりサムターン軸３との係止方向に付勢されており、シャッタプレート５の係止によりケース１からの抜去を規制するために、サムターン軸３の全周にはシャッタプレート５が係止可能な係止溝３ａが凹設される。また、シャッタプレート５の付勢側移動ストローク終端は、サムターン軸挿入孔２を閉塞可能な位置に設定される。
【００１２】
図２（ａ）に示すように、シャッタプレート５によるサムターン軸３の係止代を大きくするために、シャッタプレート５の移動側先端（この実施の形態においては下端）には、サムターン軸３が嵌合する嵌合凹部５ｂが形成され、さらに、シャッタプレート５側の嵌合凹部５ｂ内壁と、サムターン軸３外周には、係合凹凸１０が形成される。係合凹凸１０は、付勢力を利用してサムターン４のがたつきを防止するとともに、サムターン４の回転方向のぐらつきを規制する目的で設けられ、サムターン４が９０°回転して錠装置の施解錠を行うこの実施の形態において、サムターン軸３側の係合凹凸１０は、９０°ピッチで４箇所に設けられる。
【００１３】
上記シャッタプレート５を付勢力に抗して移動させるために、ケース１には、回転ノブ６が配置される。回転ノブ６は、ケース１外部に露出する摘み部６ａと、ケース１内でケース１裏面に向けて突出する操作突起７とを有する。
【００１４】
操作突起７は、回転ノブ６の回転中心から適宜間隔離れた位置に形成され、シャッタプレート５には、この操作突起７が挿入される長孔８が形成される。長孔８は、回転ノブ６の回転中心を通るシャッタプレート５の移動線上を基端として横方向に延設され、基端位置にはサムターン軸３側に膨らむストッパ凹部９が形成される。
【００１５】
したがってこの実施の形態において、サムターン４が装着された状態では、サムターン軸３はサインプレート１３に対して回転方向に連結され、かつ、シャッタプレート５の嵌合凹部５ｂが係止溝３ａに係止してケース１からの脱離が規制される。この状態で、係合凹凸１０を介してサムターン４には圧接力が付与され、がたつきが防止され、さらに、サムターン４を回転させると、係合凹凸１０が回転操作に伴う節度感を与える。
【００１６】
以上の使用状態からサムターン４を抜去するには、図３（ａ）に示すように、まず、回転ノブ６を回転させてシャッタプレート５をサムターン軸３との係止解除位置まで移動させ、次いで、サムターン４をケース１から引き抜く。サムターン４の抜去により、シャッタプレート５は、圧縮スプリング５ａの復元力によりサムターン軸３との係止位置を超えて、ストローク終端位置まで移動する。
【００１７】
図３（ｂ）に示すように、シャッタプレート５のストローク終端位置への移動により、サムターン軸挿入孔２は完全に閉塞される。この結果、サムターン４抜去状態において室外から手を入れて予め用意したサムターン４をサムターン４挿入孔に挿入することが防止される。
【００１８】
また、図３（ｂ）に示すように、サムターン４挿入孔の閉塞位置においては、回転ノブ６の操作突起７は長孔８のストッパ凹部９の正対しており、この状態でシャッタプレート５を引き上げると、ストッパ凹部９内に操作突起７が嵌合する。嵌合状態において、操作突起７の横方向の移動が規制されるために、回転ノブ６は回転することはできず、シャッタプレート５を引き上げることはできない。この結果、サムターン４抜去状態において室外から手を入れてシャッタプレート５を直接操作してサムターン軸挿入孔２を開放することも防止される。
【００１９】
なお、必須ではないが、図３（ｂ）に示すようにシャッタプレート５によるサムターン軸挿入孔２の閉塞位置において、長孔８の基端と回転ノブ６の回転中心とを結ぶ線分（Ｌ）がシャッタプレート５の移動方向線に一致するように相互の位置関係を設定すると、シャッタプレート５への操作によって回転ノブ６に回転トルクが発生することはないため、上述した効果がより発揮される。
【００２０】
サムターン４を再び装着するには、回転ノブ６を回転させてシャッタプレート５を移動させ、この状態を保持しながらサムターン軸３をサムターン軸挿入孔２に挿入する。回転ノブ６に回転操作力を与えたままサムターン軸３をサムターン軸挿入孔２に挿入する操作は片手では困難であるために、室外から片手を入れて行われる不正操作を完全に防止できる。
【００２１】
また、この実施の形態において、サムターン装置はサインプレート１３を有する。サインプレート１３は、錠装置のデッドボルト操作部に係止するジョイント部１１を備え、ケース１に保持されたサムターン４が連結される。上述したように、このサインプレート１３はデッドボルト操作部に連結されるために、回転角は錠装置の施解錠回転位置に対応する。これを利用してサムターン４を抜去した状態での施解錠状態を利用者に知らせるために、図２（ｂ）に示すように、表面側に向けて表示マーク１２が配置され、さらに、ケース１には表示窓１４が開設される。
【００２２】
表示窓１４は、サムターン４装着時にはサムターン４により覆われて外部に現れない位置に配置され、図１（ａ）においては、サムターン４回転中心の直下に配置される。また、表示窓１４には、透明のレンズカバー１４ａを取り付けることができる。表示マーク１２は、錠装置が施解錠いずれか（この実施の形態においては施錠時）で表示窓１４に対応する位置に配置される。
【図面の簡単な説明】
【００２３】
【図１】本発明を示す図で、（ａ）は正面図、（ｂ）は（ａ）の１Ｂ-１Ｂ線断面図である。
【図２】図１の断面図で、（ａ）は図１（ａ）の２Ａ-２Ａ線断面図、（ｂ）は図１（ａ）の２Ｂ-２Ｂ線断面図である。
【図３】シャッタプレートの動作を示す図で、（ａ）はサムターン軸との係止解除状態を示す図、（ｂ）はサムターン軸挿入孔閉塞状態を示す図である。
【符号の説明】
【００２４】
１        ケース
２        サムターン軸挿入孔
３        サムターン軸
４        サムターン
５        シャッタプレート
６        回転ノブ
７        操作突起
８        長孔
９        ストッパ凹部
１０      係合凹凸
１１      ジョイント部
１２      表示マーク
１３      サインプレート
１４      表示窓
【図１】
2005314967.tif 000003
【図２】
2005314967.tif 000004
【図３】
2005314967.tif 000005